(57)【要約】【目的】  文字や図形などのコンピュータ画像にテレビ画像を嵌め込んで、夫々に適した輝度で同時に表示できるようにする。【構成】  ＲＯＭ回路５には、ＣＰＵ回路４のプログラムとともに、画像データＡが格納されており、ＣＰＵ回路４はこのプログラムで動作する。ＣＰＵ回路４はＲＯＭ回路５から画像データＡを読み取り、これを画像信号Ａにして画像合成手段３に供給する。また、入力端子７から外部入力手段６に画像信号Ｂが取り込まれ、画像合成手段３に供給されて画像信号ＡのＣＰＵ回路４で指定される嵌込み位置に嵌め込まれる。画像合成手段３の出力画像信号Video1は特定領域輝度変換手段２に供給され、ＣＰＵ回路４から信号バス８を介して供給されるタイミング信号のタイミングで、画像信号Ａの部分と画像信号Ｂの部分とで独立に所定の輝度レベルが設定され、画像表示手段１で同時に表示される。【選択図】        図１
2006285266.tif 000002
【特許請求の範囲】
【請求項１】
記録媒体からテレビ映像に関する第１の画像情報を読み出す読出手段と、
該読出手段により読み出された該第１の画像情報は、コンピュータ画像に関する第２の画像情報の中に部分的に含まれるように合成されて出力する出力手段と、
該第１の画像情報の輝度が該第２の画像情報の輝度よりも高輝度になるよう該第１の画像情報の輝度制御を行う制御手段と、
該制御手段により輝度制御された画像情報を出力する画像情報出力手段を備えることを特徴とする情報処理装置。
【請求項２】
テレビ映像に関する第１の画像情報及びコンピュータ画像に関する第２の画像情報が記憶された記録媒体から第１及び第２の画像情報を読み出す読出手段と、
該読出手段により読み出された該第１及び該第２の画像情報を出力する出力手段と、
該第１の画像情報の輝度が該第２の画像情報の輝度よりも高輝度になるよう該第１の画像情報の輝度制御を行う輝度制御手段と、
該輝度制御手段により輝度制御された画像情報を出力する画像情報出力手段を備えることを特徴とする情報処理装置。
【請求項３】
請求項２に記載の情報処理装置において、
前記第１の画像情報は前記第２の画像情報に部分的に嵌め込まれており、
該第１の画像情報を検出する検出手段を備えることを特徴とする情報処理装置。
【発明の詳細な説明】
【技術分野】
【０００１】
本発明は、文字や図形表示を主体とするコンピュータ画像と自然画表示を主体
とするテレビ映像を同一の画面上に表示する情報処理装置に関する。
【背景技術】
【０００２】
近年、好きなときに好きな番組が見られるＶＯＤ（Video On Demmand）サービ
スやＣＤ−ＲＯＭを使った電子百科事典など、いわゆるマルチメディアサービス
が盛んになってきている。このようなマルチメディアサービスでは、コンピュー
タ画面に自然画などのテレビ映像を嵌め込み表示することが多い。例えば、特許文献１には、コンピュータ画像とテレビ映像を合成表示する技術が開示されている。
【０００３】
【特許文献１】特開平6-230760号公報
【発明の開示】
【発明が解決しようとする課題】
【０００４】
一般に、コンピュータ用ディスプレイ、は文字や図形を直近で見るため、コン
ピュータオペレータが見やすいように表示輝度はあまり高くしていない。一方、
テレビ映像は、きれいに見せるため、比較的高輝度に設定している。
【０００５】
このために、テレビ映像と文字や図形のコンピュータ画像とをコンピュータ用
ディスプレイ装置に同時に表示すると、テレビ映像は通常のテレビ受像機で見る
より輝度が低くなって映えがなくなる。
【０００６】
そこで、ディスプレイ装置の画面上に表示される文字や図形表示の輝度レベルと自然画表示の輝度レベルとを別々に制御し、自然画の表示部分のみを明るくするなどの手立てが必要になる。
【０００７】
ところで、嵌め込み表示としては、テレビの親画面に子画面を嵌め込み表示す
るピクチャー・イン・ピクチャーが広く知られている。ピクチャー・イン・ピク
チャーでは、テレビ受像機の中に親画面用と子画面用に複数の映像信号入力系統
があり、映像信号毎に別々に振幅レベルや直流レベルを制御して親画面と子画面
で独立に輝度レベルを変えることができるようになっている。
【０００８】
一方、コンピュータの文字や図形表示に自然画などのテレビ映像を嵌め込む処
理（合成処理）は、コンピュータのソフトウェア処理などで行われ、このように
合成された映像信号をディスプレイ装置に供給して表示するようになっている。
このため、コンピュータの文字や図形表示に自然画などのテレビ映像を嵌め込ん
で表示する場合の多くは、合成した映像信号１系統がそのままディスプレイに供
給されるので、ピクチャー・イン・ピクチャーのような複数の映像信号入力系統
を持つ構成では、嵌込み画面の振幅レベルや直流レベルを別々に制御することは
不可能である。
【０００９】
本発明の目的は、文字や図形などのコンピュータ画像に自然画などのテレビ映像を嵌め込み表示した場合に、明るくきれいなテレビ映像を実現することである。
【課題を解決するための手段】
【００１０】
上記課題を解決するために、特許請求の範囲に記載される技術思想を用いればよい。画像表示手段の画面上に表示される文字や図形と自然画との輝度レベルを制御することができ、この結果、自然画などのテレビ映像は明るくきれいに表
示され、文字や図形などのコンピュータ画像は低輝度で読み易く表示されること
になる。
【発明の効果】
【００１１】
本発明によれば、文字や図形などのコンピュータ画像に自然画などのテレビ映像を嵌め込み表示した場合に、明るくきれいなテレビ映像を実現することができる。
【発明を実施するための最良の形態】
【００１２】
以下、本発明の実施形態を図面により説明する。
【００１３】
図１は本発明による情報処理装置の第１の実施形態を示
すブロック図であって、１は画像表示手段、２は特定領域輝度変換手段、３は画
像合成手段、４はＣＰＵ回路、５はＲＯＭ回路、６は外部入力手段、７は入力端
子、８は信号バスである。
【００１４】
同図において、特定領域輝度変換手段２，画像合成手段３，ＣＰＵ回路４，Ｒ
ＯＭ回路５及び外部入力手段６は信号バス８で接続されている。また、画像合成
手段３，ＣＰＵ回路４，ＲＯＭ回路５及び外部入力手段６からなる装置は、例え
ば、コンピュータと同じ構成としてもよい。画像合成手段３は２つの画像を合成
するものであって、例えば、フレームメモリ装置で構成することができる。特定
領域輝度変換手段２は、画像表示手段１に表示する特定の領域の輝度レベルを変
換するものである。
【００１５】
以下、この実施形態の動作を説明するが、ここでは、画像Ａに画像Ｂを嵌め込
んで画像表示手段１で表示するものとする。
【００１６】
ＣＰＵ回路４は、ＲＯＭ回路５に格納されているプログラム情報に基づいて、
例えばＲＯＭ回路５に保存している画像データＡを画像合成手段３で映像信号に
変換する。この映像信号は特定領域輝度変換手段２を通って画像表示手段１に供
給される。これにより、画像表示手段１で画像Ａが表示される。
【００１７】
一方、外部入力手段６は、例えば、テレビジョン映像信号の入力装置であり、
入力端子７から入力される画像信号Ｂを取り込み、信号バス８を介して画像合成
手段３に送る。勿論、外部入力手段６から画像合成手段３への信号伝送は、信号
バス８とは別に設けた回線を使ってもよい。画像合成手段３でこの画像データＢ
は先の画像データＡに嵌め込まれ、画像表示手段１に供給表示される。ここでは
、図示するように、画像Ａの中に画像Ｂが嵌め込まれて表示される。
【００１８】
特定領域輝度変換手段２は、画像表示手段１で表示される画像Ａ，Ｂの輝度レ
ベルを別々に変えることができる。
【００１９】
図３はこの特定領域輝度変換手段２の一具体例を示すブロック図であって、１
０は振幅制御手段、１１は直流レベル制御手段、１２は加算器、１３，１４，１
６は可変電源、１５は切換スイッチ、１７ａ〜１７ｃはデータラッチ、１８ａ〜
１８ｃはアドレスデコーダ、１９ａ〜１９ｄはカウンタ、２０ａ〜２０ｃはアン
ドゲート、２１はタイミング発生回路２１である。
【００２０】
同図において、この具体例は、画像信号の振幅を制御する振幅制御手段１０と
、画像信号の直流レベルを制御する直流レベル制御手段１１と、加算器１２と、
可変電源１３，１４，１６と、切換スイッチ１５と、可変電源１３，１４，１６
の電圧値をセットするデータラッチ１７ａ〜１７ｃと、データラッチ１７ａ〜１
７ｃにデータをラッチするアドレスデコーダ１８ａ〜１８ｃと、切換スイッチ１
５の切換制御のためのタイミング信号Keyを生成するタイミング発生回路２１と
からなっている。
【００２１】
タイミング発生回路２１は、画像Ａ中の画像Ｂの嵌込み位置を特定するタイミ
ング信号Keyを発生するものであって、画像Ｂの垂直，水平方向の開始アドレス
と終了アドレスを特定するカウンタ回路１９ａ〜１９ｄと、アンドゲート２０ａ
〜２０ｃと、カウンタ回路１９ａ〜１９ｄに夫々のアドレス値をセットするデー
タラッチ１７ｄ〜１７ｇと、アドレスデコーダ１８ｄ〜１８ｇからなっている。
【００２２】
ＣＰＵ回路４から信号バス８（図１）を介して供給される合成画像の画面全体
の直流レベルを定めるデータがデータラッチ１７ａに、この画面全体の振幅を定
めるデータがデータラッチ１７ｂに、嵌込み部分（この場合、画像Ｂの部分）の
振幅を決めるデータがデータラッチ１７ｃに、この嵌込み部分の垂直開始アドレ
スがデータラッチ１７ｄに、この嵌込み部分の垂直終了アドレスがデータラッチ
１７ｅに、この嵌込み部分の水平開始アドレスがデータラッチ１７ｆに、この嵌
込み部分の水平終了アドレスがデータラッチ１７ｇに夫々格納される。
【００２３】
垂直開始カウンタ１９ａと垂直終了カウンタ１９ｂには、データラッチ１７ｄ
のデータ、データラッチ１７ｅのデータが夫々垂直同期信号Vsyncでプリセット
され、水平開始カウンタ１９ｃと水平終了カウンタ１９ｄには、データラッチ１
７ｆのデータ、データラッチ１７ｇのデータが夫々水平同期信号Hsyncでプリセ
ットされる。そして、垂直開始カウンタ１９ａと垂直終了カウンタ１９ｂは夫々
水平同期信号Hsyncをカウントクロック信号とし、水平開始カウンタ１９ｃと水
平終了カウンタ１９ｄは夫々ドットクロック信号DOTCKをカウンタクロック信号
とする。垂直開始カウンタ１９ａと垂直終了カウンタ１９ｂの出力はアンドゲー
ト２０ａで論理積がとられ、水平開始カウンタ１９ｃと水平終了カウンタ１９ｄ
の出力はアンドゲート２０ｂで論理積がとられ、更に、これらアンドゲート２０
ａ，２０ｂの出力がアンドゲート２０ｃで論理積がとられて、画像Ｂの嵌込み位
置を示すタイミング信号Keyが得られる。
【００２４】
図２はこのタイミング信号Key と映像信号のレベルとの関係を、水平走査周期
と垂直走査周期とに分けて示す図である。
【００２５】
同図において、入力画像信号Video1のハッチ（斜線）部分が嵌込み部分（画像
Ｂ）である。タイミング信号Keyはこの画像信号Video1のハッチ（斜線）部分で
“Ｌ”（ローレベル）から“Ｈ”（ハイレベル）に変化し、切換スイッチ１５を
可変電源１６側に閉じる。
【００２６】
これにより、画像表示手段１（図１）での画像Ｂの表示期間だけ、振幅制御手
段１０に印加される制御電圧は、加算器１２により、可変電源１３，１６の電圧
を加算した電圧になり、これによって振幅が増加し、画像表示手段１の入力画像
信号Video2の画像Ｂの部分だけ輝度レベルを変えることができる。
【００２７】
例えば、画像Ａがテキスト画面で画像Ｂがテレビ画面である場合、明るくきれ
いなテレビ画面と輝度を抑えた読み易いテキスト画面とを同時に表示が可能にな
る。
【００２８】
なお、外部入力手段６は、ＶＯＤシステムなどで使われるＣＡＴＶやＬＡＮ，
ＩＳＤＮに対応するディジタル方式でも、勿論良いことは言うまでもない。
【００２９】
また、図４に示すように、外部入力手段６の代わりに、データ蓄積装置３１を
用いてもよい。このデータ蓄積装置３１は、固体磁気ディスクや磁気ディスクあ
るいは光磁気ディスクやＣＤ−ＲＯＭなどでよく、画像Ａ，Ｂに相当する画像デ
ータが蓄積されている。
【００３０】
また、図５に示すように、外部入力手段６の代わりに、画像Ａ，Ｂに相当する
画像データを蓄積したＲＯＭ２０５でもよいし、図６に示すように、これにさら
に外部入力手段６やデータ蓄積装置１３１を設けるようにしてもよい。
【００３１】
図６に示す実施形態の場合には、勿論、画像表示手段１に画像Ａ，Ｂ，Ｃの３
個の画像が同時に表示されることもできる。この場合の特定領域輝度変換手段１
０２の一具体例を図７に示す。但し、１７ｉ，１７ｊはデータラッチ、１８ｉ，
１８ｊはアドレスデコーダ、２１ａ，２１ｂはタイミング発生回路、３２は切換
スイッチ、３３，３４は可変電源、３５はデコーダであり、図３に対応する部分
には同一符号を付けて重複する説明を省略する。
【００３２】
図７において、タイミング発生回路２１ａは図６での画像表示手段１の画像Ｂ
の表示期間を示すタイミング信号を発生するものであり、タイミング発生回路２
１ｂは画像Ｃの表示期間を示すタイミング信号を発生するものである。これらタ
イミング発生回路２１ａ，２１ｂの出力信号はデコーダ３５を介して切換スイッ
チ３２に供給されるが、タイミング発生回路２１ａがタイミング信号を発生する
と、切換スイッチ３２は可変電源３３側に閉じ、タイミング発生回路２１ｂがタ
イミング信号を発生すると、切換スイッチ３２は可変電源３４側に閉じる。それ
以外では、切換スイッチ３２は電圧値０の電圧を選択する。
【００３３】
切換スイッチ３２からの電圧は加算回路１２で可変電源１３の電圧と加算され
、振幅制御手段１０に供給される。可変電源３３の電圧はデータラッチ１７ｉの
データに応じて設定され、可変電源３４の電圧もデータラッチ１７ｊのデータに
応じて設定される。
【００３４】
そこで、データラッチ１７ｉ，１７ｊのデータを適宜設定することにより、画
像Ｂ，Ｃの振幅を適宜設定することができる。
【００３５】
タイミング発生回路を増やしていけば、任意個数の嵌込み画面の輝度レベル変
換でも対応できることは明らかである。
【００３６】
以上のようにして、嵌込み画像の輝度だけを単独に制御することができる、例
えば、画像Ａがテキスト画面、画像Ｂがテレビ画面の場合、明るくきれいなテレ
ビ画面と輝度を抑えた読み易いテキスト画面との同時表示が可能になる。
【００３７】
図８は本発明による情報処理装置の第２の実施形態にお
ける特定領域輝度変換手段２の一具体例を示すブロック図であって、１８ｈはア
ドレスデコーダ、２２ａ，２２ｂは切換スイッチ、２３はＡ／Ｄ変換器、２４は
ＬＵＴ（ルックアップテーブル）、２５はＤ／Ａ変換器であり、図３に対応する
部分には同一符号を付けて重複する説明を省略する。
【００３８】
この第２の実施形態も全体構成が図１に示す構成をなしているが、特定領域輝
度変換手段２が上記の第１の実施形態での図３に示した特定領域輝度変換手段２
と異なる。この具体例が図３に示した具体例と大きく異なるのは、嵌込み部分の
輝度レベル変換をディジタル信号処理で行なう点であって、このための処理手段
を、アナログ映像信号をディジタル映像信号に変換するＡ／Ｄ変換器２３と、デ
ィジタルデータ変換器としてのＬＵＴ２４と、ディジタル映像信号をアナログ映
像信号に変換するＤ／Ａ変換器５２と、切換スイッチ２２ａ，２２ｂとで構成し
ている。
【００３９】
次に、この具体例の動作を説明する。
【００４０】
タイミング発生器２１からのタイミング信号Keyにより、嵌込み部分の時間帯
だけで切換スイッチ２２ａ，２２ｂはＢ側に閉じる。このとき、映像信号Video1
の画像Ｂの部分の信号はＡ／Ｄ変換器２３でディジタル化されてＬＵＴ２４に供
給される。ＬＵＴ２４には、ＣＰＵ回路４から信号バス８（図１）を介して変換
データが入力されており、この変換データによって映像信号Video1の振幅や直流
レベルなどが所望の値にセットされている。このＬＵＴ２４は、例えば、ＥＥＰ
ＲＯＭなどのメモリで構成することができ、ＣＰＵ回路４からのデータ書替えも
自由自在にできる。
【００４１】
このＬＵＴ２４の出力データは、Ｄ／Ａ変換器２５でアナログ映像信号に変換
された後、振幅制御手段１０と直流レベル制御手段１１とでレベル制御されて映
像信号Video2として出力される。これにより、画像Ｂの期間だけは、ＬＵＴ２４
によって輝度レベルを制御できるようになる。
【００４２】
画像Ａの期間では、切換スイッチ２２ａ，２２ｂはＡ側に閉じており、ＬＵＴ
２４による輝度制御はなされない。また、全体の振幅や直流レベルの制御は、図
３に示した具体例と同様、可変電源１３，１４を介して行なわれる。
【００４３】
以上のようにして、嵌込み部分（画像Ｂ）だけの輝度レベルを変えることがで
きる。特に、図８に示したディジタル方式の場合、振幅だけでなく、直流レベル
やガンマレベルや色相など種々の制御が可能になる。
【００４４】
なお、図８では、切換スイッチ２２ａ，２２ｂを夫々Ａ／Ｄ変換器２３の前と
Ｄ／Ａ変換器２５の後に配置し、アナログ映像信号を切り換えるようにしている
が、切換スイッチ２２ａ，２２ｂを夫々Ａ／Ｄ変換器２３の後とＤ／Ａ変換器２
５の前に配置し、ディジタル映像信号を切り換えるようにしてもよい。
【００４５】
図９は本発明による情報処理装置の第３の実施形態を示
すブロック図であって、３６は画像合成手段であり、図１に対応する部分には同
一符号を付けて重複する説明を省略する。
【００４６】
この実施形態の特徴は、図９に示すように、画像合成手段３６に特定領域輝度
変換機能を付加したことであって、図１に示した実施形態に比べて回路構成が簡
単になる。
【００４７】
図１０はこの画像合成手段３６の一具体例を示すブロック図であって、３７は
フレームメモリ、３８は制御装置、１２２ａ，１２２ｂは切換スイッチ、１２４
はＬＵＴ、１２５はＤ／Ａ変換器である。
【００４８】
図１０において、この具体例は、画像データの書込み／読出しを行なうフレー
ムメモリ３７と、ディジタルデータを変換するＬＵＴ１２４と、ディジタル映像
信号をアナログ映像信号に変換するＤ／Ａ変換器１２５と、切換スイッチ１２２
ａ，１２２ｂと、フレームメモリ３７の書込み／読出し制御や切換スイッチ１２
２ａ，１２２ｂの切換え制御、ＬＵＴ１２４のデータ書替えを行なう制御装置３
８とから構成されている。
【００４９】
制御装置３８は、また、フレームメモリでの画像データＡ，Ｂの記憶領域を定
め、画像データＡ，Ｂはその指定される領域で書込み，読出しが行なわれる。こ
れにより、フレームメモリ３７で画像Ａへの画像Ｂの嵌込みが行なわれる。従っ
て、制御装置３８は、フレームメモリ３７での読出し位置が画像テータＡの記憶
領域であるか、画像データＢの記憶領域であるかを判断することができ、この判
断に基づいて切換スイッチ１２２ａ，１２２ｂを切換え制御する。
【００５０】
フレームメモリ３７には、ＣＰＵ回路４（図９）から画像データＡ，Ｂが転送
されて展開されている。フレームメモリ３７が画像データＡの部分を出力すると
きには、切換スイッチ１２２ａ，１２２ｂはＡ側に閉じており、この画像データ
Ａは切換スイッチ１２２ａ，１２２ｂを介してＤ／Ａ変換器１２５に供給され、
そこでアナログ映像信号に変換されて出力される。
【００５１】
画像データＢの時間帯では、切換スイッチ１２２ａ，１２２ｂはＢ側に閉じ、
ＬＵＴ１２４でデータ変換される。図８でも説明したように、ＬＵＴ１２４で映
像信号の振幅や直流レベルなどを自由自在に変えることができるので、画像Ｂの
輝度レベルだけを自由に制御することができる。
【００５２】
以上のようにして、比較的簡単な構成で嵌込み部分の輝度レベルだけを独立に
調整することができ、例えば、画像Ａがテキスト画面、画像Ｂがテレビ画面の場
合、明るくきれいなテレビ画面と輝度を抑えた読みやすいテキスト画面との同時
表示が可能になる。
【００５３】
図１１は本発明による情報処理装置の第４の実施形態を
示すブロック図であって、３０５はＲＯＭであり、図１に対応する部分には同一
符号を付けて重複する説明を省略する。
【００５４】
同図において、ＲＯＭ３０５には、ＣＰＵ回路４のプログラムとともに、画像
データＡも格納されており、ＣＰＵ回路４は、このプログラムに基づいて、嵌込
み領域の設定や各種演算処理などの処理を行なう。ここで、ＣＰＵ回路４は、嵌
込み部分の輝度レベルをソフトウエア演算によって行ない、これにより、図１に
示した実施形態に比べてハードウエア構成がさらに簡単になる。
【００５５】
次に、図１２により、この実施形態のソフトウエア処理について説明する。
【００５６】
ＣＰＵ回路４は、まず、特定領域、即ち、嵌込み部分がどうかを判定し（ステ
ップ１２００）、嵌込み部分でないときには、ＲＯＭ３０５から画像データＡを
読み出して画像合成手段３に転送し、嵌込み部分であると判定したときには、外
部入力手段６から取り込まれる画像データＢに所望の係数を乗算して振幅を調整
し、画像合成手段３に転送する（ステップ１２０１）。これにより、画像合成手
段３で、画像Ａに振幅が調整された画像Ｂが嵌め込まれる。かかる動作が上記特
定領域が終わるまで行なわれ、この特定領域が終わると（ステップ１２０２）、
再びステップ１２００に戻って画像データＡを画像合成手段３に転送する。
【００５７】
この実施形態では、勿論、直流レベルの調整も可能であり、その場合には、画
像データＢに所定の値を加算すればよい。
【００５８】
以上のようにして、嵌込み部分の輝度レベルを独立に調整することができる。
【００５９】
図１３は本発明による情報処理装置の第５の実施形態を
示すブロック図であって、１０６は外部入力手段、１０７は入力端子、２０２は
特定領域輝度変換手段、４０５はＲＯＭであり、図１に対応する部分には同一符
号を付けて重複する説明を省略する。
【００６０】
この実施形態の特徴は、外部入力手段１０６に入力される画像信号が既に嵌め
込み処理が施されたものであっても、その嵌込み部分を検出し、その嵌込み部分
の輝度レベルを独立に制御できる点である。この処理が、図１３において、特定
領域輝度変換手段２０２によって行なわれる。それ以外の構成は図１に示した実
施形態と同様である。
【００６１】
図１４はこの特定領域輝度変換手段２０２の一具体例を示すブロック図であっ
て、３９は遅延回路、４０は画像処理装置、１２３はＡ／Ｄ変換器であり、図３
に対応する部分には同一符号を付けて重複する説明を省略する。
【００６２】
同図において、この具体例は、図３でのタイミング発生回路２１の代わりに画
像処理装置４０を設け、画像Ｂ（図１３）の嵌込み部分の判定を行なって切換ス
イッチ１５を制御するようにしたものである。
【００６３】
この画像処理装置４０で行なわれる判定処理としては、図１５に示すような嵌
込み部分（画像Ｂ）の枠の検出、あるいは、図１６に示すような動きのある画面
の検出、あるいは、図１７に示すようにヒストグラムによる嵌込み部分の検出な
どがあり、さらに、これらを組合わせることにより、検出精度をさらに高めるこ
とができる。
【００６４】
このようにして検出して得た情報をもとにして、図３に示した具体例のように
タイミング信号Key を生成し、これでもって切換スイッチ１５を制御する。
【００６５】
なお、遅延回路３９は、画像処理装置４０での遅延を相殺するためのものであ
る。
【００６６】
以上のようにして、予め画像が嵌め込まれた画像信号であっても、その嵌込み
位置を検出してその部分の輝度レベルだけを独立に変化させることができる。
【００６７】
図１８は本発明による情報処理装置の第６の実施形態を
示すブロック図であって、５０は画像表示手段、５１は画像信号出力手段、５２
はインターフェース、１０３は画像合成手段、１０４はＣＰＵ回路であり、図１
３に対応する部分には同一符号を付けて重複する説明を省略する。
【００６８】
同図において、この実施形態は、画像表示手段５０と画像信号出力手段５１と
から構成されており、画像表示手段５０に特定領域輝度変換手段が一体化されて
いる。画像信号出力手段５１は、図１や図１３での画像表示手段１と特定領域輝
度変換手段２を除く部分を一体にしたものとほぼ同じ構成になっている。画像信
号出力手段５１からは、画像合成手段１０３から出力される画像信号とインター
フェース５２を通った制御信号とが画像表示手段５０に供給される。
【００６９】
この実施形態の具体的構成としては、例えば、画像信号出力手段５１はパソコ
ンやワークステーションなどのコンピュータ本体であり、画像表示手段５０はモ
ニタディスプレイ装置である。
【００７０】
図１９はこの画像表示手段５０の一具体例を示すブロック図であって、５３，
５４は入力端子、１０１は画像表示素子、１１０は振幅制御手段、１１１は直流
レベル制御手段、１１２は加算器、１１３，１１４は可変電源である。
【００７１】
同図において、この画像表示手段５０は画像表示素子１０１と、画像信号の直
流レベル制御手段１１１と、画像信号の振幅制御手段１１０と、加算器１１２と
、可変電源１１３，１１４とからなっている。
【００７２】
図１８の画像信号出力手段５１から入力端子５４に供給される画像信号Video1
は、その振幅が振幅制御手段１１０で制御される。画像表示素子１０１の画面の
画像Ｂの嵌込み部分で画像信号出力手段５１から入力端子５４に制御電圧cont.
が供給され、この制御電圧cont.が加算器１１２で可変電源１１３の電圧と加算
されて振幅制御手段１１０に供給される。画像表示素子１０１の画面の画像Ｂの
嵌込み部分以外の部分では、可変電源１１３の電圧が振幅制御手段１１０に供給
される。振幅制御手段１１０では、かかる供給電圧により、画像信号Video1の振
幅が制御される。
【００７３】
振幅制御手段１１０の出力画像信号は直流レベル制御手段１１１に供給され、
可変電源１１４の電圧でその直流レベルを設定される。直流レベル制御手段１１
１の出力画像信号Video2が画像表示素子１０１に供給され、画像が表示される。
【００７４】
以上のようにして、入力端子５４に供給される制御電圧cont.の電圧レベルと
その供給タイミングで、画像Ｂの嵌込み部分の輝度レベルを可変とすることがで
きる。
【００７５】
図２０は制御電圧cont.の供給タイミングと電圧レベルの関係を水平走査周期
と垂直走査周期に分けて示したものである。
【００７６】
同図において、画像信号Video1のハッチ（斜線）部分が画像Ｂの嵌込み部分で
ある。このとき、入力端子５４に供給される制御電圧cont.は画像信号Video1の
ハッチ（斜線）部分で０（Ｖ）からｐ（Ｖ）に変化する。これにより、画像表示
素子１０１の入力画像信号Video2のレベルは、画像Ｂの嵌込み部分だけ振幅が大
きくなる。
【００７７】
この結果、画像表示素子１０１上のテキスト画像Ａにテレビ映像Ｂを嵌込み表
示すると、テレビ映像を明るくきれいに見せながら、他の領域では、輝度の変化
はなくて文字や図形表示は見やすい輝度レベルのままである。
【００７８】
以上のようにして、嵌込み部分の輝度レベルだけを制御する画像表示装置が実
現できる。
【００７９】
図２１は本発明による情報処理装置の第７の実施形態で
の画像表示手段の一具体例を示すブロック図であって、１１５は切換スイッチ、
１１６は可変電源、１５４は入力端子であり、図１９に対応する部分には同一符
号を付けて重複する説明を省略する。
【００８０】
この実施形態の全体構成は図１８に示すものと同様であるが、インターフェー
ス５２から画像表示手段５０に供給されるのは、画像Ｂの嵌込み位置を示すタイ
ミング信号Key である。
【００８１】
図２１において、入力端子１５４からは画像Ｂの嵌込み位置を示すタイミング
信号Keyが入力され、切換スイッチ１１５を可変電源１１６側に閉じる。これに
より、可変電源１１６の電圧が加算器１１２で可変電源１１３の電圧と加算され
、その加算電圧で振幅制御手段１１０が制御される。従って、嵌込み部分の輝度
レベルだけが所望に制御されることになる。
【００８２】
ここで、タイミング信号Key は２値のディジタル信号でよく、このため、画像
信号出力手段５１のインタフェース回路５２（図１８）の構成が簡単になる。
【００８３】
図２２は本発明による情報処理装置の第８の実施形態の
画像表示手段の一具体例を示すブロック図であって、５５はタイミング発生回路
、２５４は入力端子であり、第２１図に対応する部分には同一符号を付けて重複
する説明を省略する。
【００８４】
この実施形態も、その全体構成は図１８に示したものと同様であるが、インタ
ーフェース５２から画像表示手段５０に供給されるのは、画像Ｂの嵌込み位置を
コード化したデータ（嵌込み位置データ）である。この嵌込み位置データは、図
２３に示すように、嵌込み位置の開始アドレスと終了アドレスを示すもの、また
は嵌込み位置の開始アドレスと嵌込み位置の水平，垂直幅を示すもの、あるいは
嵌込み位置の終了アドレスと嵌込み位置の水平，垂直幅を示すものなどがある。
【００８５】
図２２において、入力端子２５４から嵌込み位置データが入力されると、画像
信号Video1の同期信号やドットクロック信号とともにタイミング発生回路５５に
供給され、図２１でのタイミング信号Keyと同様の画像Ｂの嵌込み位置のタイミ
ング信号Key が生成される。このタイミング信号Keyにより、切換スイッチ１１
５が制御される。これ以外の部分については、図２１に示した具体例と同様であ
る。
【００８６】
タイミング発生回路５５は、基本的には、例えば、図７に示した構成をなして
いるが、その一具体例を図２４に示す。但し、５６はＰＬＬ（フェーズ・ロック
ド・ループ）回路、５７はマイコン、１１７ｄ〜１１７ｇはデータラッチ、１１
８ｄ〜１１８ｇはアドレスラッチ、１１９ａ〜１１９ｄはカウンタ、１２０ａ〜
１２ｃはアンドゲートである。
【００８７】
図２４において、入力端子２５４から入力された嵌込み位置データはマイコン
５７でデコードされ、データラッチ１１７ｄ〜１１７ｇに転送されてラッチされ
る。垂直タイミング開始カウンタ１１９ａと垂直タイミング終了カウンタ１１９
ｂは、垂直同期信号Ｖsyncで初期化された後、データラッチ１１７ｄ，１１７ｅ
のデータがプリセットされる。水平タイミング開始カウンタ１１９ｃと水平タイ
ミング終了カウンタ１１９ｄは、水平同期信号Ｈsyncで初期化された後、データ
ラッチ１１７ｆ，１１７ｇのデータがプリセットされる。そして、垂直タイミン
グ開始カウンタ１１９ａと垂直タイミング終了カウンタ１１９ｂは水平同期信号
Ｈsyncを、水平タイミング開始カウンタ１１９ｃと水平タイミング終了カウンタ
１１９ｄは、水平同期信号ＨsyncをＰＬＬ回路５６で逓倍して得られるドットク
ロック信号を夫々カウンタクロック信号とする。垂直タイミング開始カウンタ１
１９ａと垂直タイミング終了カウンタ１１９ｂのカウンタ出力はアンドゲート１
２０ａで論理積がとられ、水平タイミング開始カウンタ１１９ｃと水平タイミン
グ終了カウンタ１１９ｄのカウント出力はアンドゲート１２０ｂで論理積がとら
れ、さらに、アンドゲート１２０ａ，１２０ｂの出力がアンドゲート１２０ｃで
論理積がとられて嵌込み位置を示すタイミング信号Key が得られる。
【００８８】
この実施形態では、入力端子２５４から入力される嵌込み位置データとして、
例えば、ＲＳ−２３２Ｃなどのパソコンやワークステーションなどのコンピュー
タでよく用いられている仕様のものを利用することができ、このため、画像信号
出力手段５１のインターフェース回路５２（図１８）は標準品を利用できて、コ
ストを低くすることができる。
【００８９】
以上のようにして、嵌込み部分の輝度レベルだけを制御することができる。
【００９０】
図２５は本発明による情報処理装置の第９の実施形態で
の画像表示手段の一具体例を示すブロック図であって、１５５はタイミング発生
回路、２１６は可変電源、３５４は入力端子であり、図２２に対応する部分には
同一符号を付けて重複する説明を省略する。
【００９１】
この実施形態も、その全体構成は図１８に示したものと同様であるが、インタ
ーフェース５２から画像表示手段５０に供給されるのは、画像Ｂの嵌込み位置と
その輝度レベルを指示するコード化されたデータ（嵌込み位置／輝度レベルデー
タ）である。この嵌込み位置／輝度レベルデータは、図２６に示すように、図２
３に示した嵌込み位置データに輝度レベルのデータを付加したものである。
【００９２】
タイミング発生回路１５５は、切換スイッチ１１５の制御用のタイミング信号
Keyを発生するための図２４に示した回路と、輝度レベルのデータ（図２６）に
応じて可変電源２１６を制御する回路とからなっている。この可変電源２１６を
制御する回路は、例えば、図３で可変電源１３，１４，１６を制御する回路と同
様の構成をとることができる。
【００９３】
図２７は本発明による情報処理装置の第１０の実施形態
の画像表示手段の一具体例を示すブロック図であって、１３２は切換スイッチ、
１３３，１３４は可変電源であり、図２１に対応する部分には同一符号を付けて
重複する説明を省略する。
【００９４】
この実施形態も、その全体構成は図１８に示したものと同様であるが、嵌め込
む画像がＢ，Ｃというように複数あるようにしたものである。
【００９５】
図２７において、可変電源１３３，１３４は画像表示素子１０１の画面での画
像Ｂ，Ｃの嵌め込み位置での振幅を決めるためのものであって、入力端子１５４
から入力されるタイミング信号Keyによって切換制御される切換スイッチ１３２
で選択される。タイミング信号Key は、例えば、３値の信号である。これ以外は
、図２１に示した画像表示手段と同様である。
【００９６】
図２８は本発明による情報処理装置の第１１の実施形態
での画像表示手段の一具体例を示すブロック図であって、２１２は加算器、３５
４は入力端子であり、図１９に対応する部分には同一符号を付けて重複する説明
を省略する。
【００９７】
この実施形態も、その全体構成は図１８に示したものと同様であるが、嵌め込
む画像Ｂの直流レベルも制御できるようにしたものである。
【００９８】
図２７において、画像Ｂの嵌込み位置では、入力端子５４から制御電圧cont.1
が供給され、加算器１１２で可変電圧源１１３の電圧と加算されて振幅制御手段
１１０に供給され、これとともに、入力端子３５４から制御電圧cont.2が供給さ
れ、加算器２１２で可変電圧源１１４の電圧と加算されて直流レベル制御手段１
１１に供給される。これにより、嵌め込まれる画像Ｂの振幅と直流レベルとが独
立に制御できる。
【００９９】
図２９は本発明による情報処理装置の第１２の実施形態
での画像表示手段の一具体例を示すブロック図であって、７０は制御回路、２２
２ａ，２２２ｂは切換スイッチ、２２３はＡ／Ｄ変換器、２２４はＬＵＴ、２２
５はＤ／Ａ変換器、４５４は入力端子であり、図１９に対応する部分には同一符
号を付けて重複する説明を省略する。
【０１００】
この実施形態も、その全体構成は図１８に示したものと同様であるが、図８で
示した具体例のように、嵌め込む画像Ｂの輝度レベルの制御をＬＵＴでのデータ
変換によって行なうようにしたものである。
【０１０１】
図２９において、入力端子４５４からデータが供給される制御回路７０の制御
のもとに、切換スイッチ２２２ａ，２２２ｂは、画像Ｂの嵌込み位置でＢ側に閉
じ、それ以外では、Ａ側に閉じる。切換スイッチ２２２ａ，２２２ｂがＡ側に閉
じているときには、入力端子５３から入力された画像信号Video.1は直接振幅制
御手段１１０に供給されるが、切換スイッチ２２２ａ，２２２ｂがＢ側に閉じて
いるときには、Ａ／Ｄ変換器２２３でディジタルデータに変換された後、ＬＵＴ
２２４でデータ変換されて所望の振幅や直流レベルに変換され、Ｄ／Ａ変換器２
２５でアナログ画像信号に変換されて振幅制御手段１１０に供給される。
【０１０２】
なお、ＬＵＴ２２４のデータ書換えは、制御回路７０を介して入力端子４５４
から入力される情報に基づき行なう。
【０１０３】
図３０は図２９における制御回路７０の一具体例を示すブロック図であって、
１８ｋはアドレスカウンタ、１５７はマイコンであり、図２４に対応する部分に
は同一符号を付けている。
【０１０４】
同図において、図２９の切換スイッチ２２２ａ，２２２ｂの切換制御信号を生
成する部分は、図２４に示す構成と同様である。この具体例は、かかる構成にＬ
ＵＴ２２４のデータ書換え手段が付加されたものである。
【０１０５】
即ち、マイコン１５７は、入力端子４５４からのデータに基づいて、嵌込み位
置をデコードするとともに、ＬＵＴ２２４で書き換えるデータとその書換え位置
を示すアドレスデータを出力する。このデータはＬＵＴ２２４（図２９）に供給
されるとともに、アドレスデータがアドレスデコーダ１８ｋでデコードされてＬ
ＵＴ２２４に供給される。
【０１０６】
この実施形態によると、ＬＵＴ２２４を用いることにより、画像信号の振幅や
直流レベルばかりでなく、ガンマ特性の変更や色相変更などもできることはいう
までもない。
【０１０７】
図３１は本発明による情報処理装置の第１３の実施形態
での画像表示手段の一具体例を示すブロック図であって、１５３は入力端子、２
０１は画像表示素子、２５４は入力端子、３２２ａ，３２２ｂは切換スイッチ、
３２３はＡ／Ｄ変換器であり、図２９に対応する部分には同一符号を付けて重複
する説明を省略する。
【０１０８】
この実施形態も、その全体構成は図１８に示したものと同様であり、図２９で
示した具体例のように、嵌め込む画像Ｂの輝度レベルの制御をＬＵＴでのデータ
変換によって行なうようにしたものであるが、画像表示素子として、液晶ディス
プレイやプラズマディスプレイをはじめとするマトリクス型のディスプレイのよ
うに、ディジタル画像信号を入力とするものである。
【０１０９】
図３１において、画像表示素子２０１はこのようなディジタル画像信号を入力
とするものである。入力端子１５３から入力される画像信号Video.1はＡ／Ｄ変
換器３２３でディジタル変換される。制御回路７０の制御により、画像Ｂの嵌め
込み位置では、切換スイッチ３２２ａ，３２２ｂがＢ側に切り換えられ、Ａ／Ｄ
変換器３２３からのディジタル画像信号が、ＬＵＴ２２４でデータ変換されて輝
度レベルが制御された後、画像表示素子２０１に供給され、また、画像Ｂ以外の
時間帯では、切換スイッチ３２２ａ，３２２ｂがＡ側に切り換えられ、Ａ／Ｄ変
換器３２３からのディジタル画像信号が直接画像表示素子２０１に供給される。
【０１１０】
この実施形態によると、部品点数も少なく、安価にできるメリットがある。
【０１１１】
図３２は本発明による情報処理装置の第１３の実施形態
での画像表示手段の一具体例を示すブロック図であって、７１は開閉スイッチ、
７２は積分器、７３は比較器、７４はＬＰＦ（ローパスフィルタ）、７５は開閉
スイッチ、８０は基準電源、２１２は加算器であり、図２１に対応するには同一
符号を付けて重複する説明を省略する。
【０１１２】
この実施形態も、その全体構成は図１８に示したものと同様であるが、嵌込み
部分の画像Ｂの平均輝度レベルを一定に抑えるようにしたものである。例えば、
ブラウン管などでは、平均輝度が上がり過ぎてビーム電流が流れ過ぎると、ブラ
ウン管の寿命に影響するために、このような手段が必要な機能である。また、プ
ラズマディスプレイ装置でも、異常発熱防止に必要である。
【０１１３】
図３２において、入力端子１５４からのタイミング信号Keyにより、画像Ｂの
時間帯だけ開閉スイッチ７１，７５が閉じられ、この時間帯に画像表示素子１０
１の入力画像信号Video2を積分器７２に供給し、画像信号Video2の画像Ｂの期間
の平均レベルを検出する。この平均レベルは比較器７３で基準電源８０の基準電
圧Ｅｓと比較される。この基準電圧Ｅｓは、画像信号Video2の平均レベルの最大
許容値に等しく設定されている。比較器７３の出力、即ち、比較結果はＬＰＦ７
４で脈動成分が除かれ、さらに、開閉スイッチ７５を介して加算器２１２に供給
されて、画像Ｂの期間だけ供給される可変電源１１６の電圧からこのＬＰＦ７４
からの電圧が引き算される。この加算器２１２の出力電圧が加算器１１２で可変
電源１１３の電圧と加算され、振幅制御手段１１０に供給される。
【０１１４】
以上の構成により、嵌め込まれる画像Ｂに対し、その輝度レベルに負帰還制御
が掛けられる。
【０１１５】
そこで、例えば、可変電源１１６の電圧を高く設定しすぎて、嵌込み画像Ｂの
平均輝度レベルが基準電源８０に設定した基準電圧Ｅｓよりも高くなったとする
と、上記の負帰還制御により、嵌込み画像Ｂだけ輝度制御がかかることになる。
【０１１６】
従って、画像Ａの部分の輝度レベルを一定に保ちながら、嵌込み画像Ｂだけの
輝度制御ができるので、例えば、画像Ａがテキスト画面、画像Ｂがテレビ画面の
場合、明るくきれいなテレビ画面と輝度を抑えた読みやすいテキスト画面の安定
した同時表示が可能になり、さらには、この嵌込み画像Ｂの輝度調整でこの輝度
が高くなりすぎるような調整をしても、所定以下の平均輝度に保たれることにな
る。
【０１１７】
なお、ブラウン管の場合、上記のように、画像信号を検出対象とするのではな
く、アノードからのビーム電流を検出して負帰還制御してもよいことは、現在一
般に行われていることなので、いうまでもないことである。
【０１１８】
図３３は本発明による情報処理装置の第１５の実施形態
の画像表示手段の一具体例を示すブロック図であって、７６，７７は増幅器電源
、７８は切換スイッチ、２１０は振幅制御手段、２１１は直流レベル制御手段で
あり、図２１に対応するには同一符号を付けて重複する説明を省略する。
【０１１９】
この実施形態も、その全体構成は図１８に示したものと同様であるが、図３３
に示すように、嵌込み部分の画像Ｂの表示期間だけ振幅制御手段２１０と直流レ
ベル制御手段２１１の電源電圧を高め、画像信号Video1の振幅幅を確保するもの
である。これにより、無駄な直流バイスをなくして損失を低減することができて
、熱容量増大によるディスプレイセットの大型化を防止できる。
【０１２０】
ここで、増幅器電源７６による電源電圧＞増幅器電源７７による電源電圧とす
る。
【０１２１】
次に、この具体例の動作を説明する。
【０１２２】
入力端子１５４からのタイミング信号Keyにより、画像Ｂの時間帯では、切換
スイッチ７８がＡ側に閉じ、増幅器電源７６から振幅制御手段２１０と直流レベ
ル制御手段２１１とに電源電圧が供給される。画像Ｂの時間帯以外では、切換ス
イッチ７８をＢ側に閉じ、増幅器電源７７から振幅制御手段２１０と直流レベル
制御手段２１１とに電源電圧が供給される。
【０１２３】
このようにして、画像Ｂの時間帯では、高い直流バイアスで画像表示素子１０
１の入力画像信号Video2の振幅を確保し、画像Ｂの時間帯以外では、低めの直流
バイアスで損失を抑えることができる。
【０１２４】
以上のようにして、嵌込み画像Ｂだけの輝度制御ができる実用的なディスプレ
イセットが実現できる。
【０１２５】
なお、以上述べた画像表示素子１０１としては、直視タイプのブラウン管や投
写タイプのブラウン管をはじめ、液晶ディスプレイやプラズマディスプレイなど
、どのような表示デバイスであってもよいことはいうまでもない。
【０１２６】
上記実施例で開示された技術をまとめると以下のように述べることも可能である。
【０１２７】
例えば、ｎ個（但し、ｎは２以上の整数）の画像を嵌め込み合成する合成手段と、該合成手段で嵌め込み合成された画像を表示する表示手段とからなる画像表示システムにおいて、該合成手段で嵌め込み合成した画像信号のうちの最大（ｎ−１）個分の画像信号の嵌込み位置のタイミングを指定し、該指定した嵌込み位置タイミングで振幅レベルや直流レベルを制御する制御手段を具備したことを特徴とする画像表示システム。
【０１２８】
また例えば、上記の制御手段による前記振幅レベルや直流レベルの制御を、ディジタル変換した画像信号データのデータ変換で行なうことを特徴とする画像表示システム。
【０１２９】
また例えば、ｎ個（但し、ｎは２以上の整数）の画像を嵌め込み合成した画像信号を入力して表示する画像表示システムにおいて、該嵌め込み合成した画像信号のうちの最大（ｎ−１）個分の嵌込み位置のタイミングを検出し、該検出した嵌込み位置タイミングで振幅レベルや直流レベルを制御する検出制御手段を具備したことを特徴とする画像表示システム。
【０１３０】
また例えば、上記の検出制御手段は少なくとも枠検出機能を有することを特徴とする画像表示システム。
【０１３１】
また例えば、上記の検出制御手段は少なくとも動き検出機能を有することを特徴とする画像表示システム。
【０１３２】
また例えば、画像表示手段と、該画像表示手段に入力する画像信号の振幅レベルを制御する振幅調整手段と、該画像表示手段に入力する画像信号の直流レベルを制御する直流制御手段とからなる画像表示装置において、該画像表示手段での任意の画像表示領域の振幅レベルを制御する手段を設けたことを特徴とする画像表示装置。
【０１３３】
また例えば、画像表示手段と、該画像表示手段に入力する画像信号の振幅
レベルを制御する振幅調整手段と、該画像表示手段に入力する画像信号の直流レ
ベルを制御する直流制御手段と、該振幅制御手段に制御電圧を供給する振幅制御
用電源と、該直流制御手段に制御電圧を供給する直流制御電源と、該振幅制御用
電源の出力と別系統電源の出力とを加算しその加算出力で該振幅制御手段を制御
する第１の加算手段とからなる画像表示装置において、該第１の加算手段に入力する該別系統電源の出力に応じて該画像表示手段での任意の画像の表示領域の振幅レベルを制御することを特徴とする画像表示装置。
【０１３４】
また例えば、  画像表示手段と、該画像表示手段に入力する画像信号の振幅レベルを制御する振幅調整手段と、該画像表示手段に入力する画像信号の直流レベルを制御する直流制御手段と、該振幅制御手段に制御電圧を供給する振幅制御用電源と、該直流制御手段に制御電圧を供給する直流制御電源と、該振幅制御用電源とは別系統の複数の電源のうちの少なくとも１つを選択する選択手段と、該振幅制御用電源の出力と該選択手段で選択された該別系統電源の出力とを加算しその加算出力で該振幅制御手段を制御する第１の加算手段とからなる画像表示装置において、該選択手段を制御する制御信号で該画像表示手段に表示する任意の画像表示領域を指定し、複数個の該別系統電源の出力のうちの少なくとも１つに応じて該指定された画像表示領域の振幅レベルを制御することを特徴とする画像表示装置。
【０１３５】
また例えば、画像表示手段と、該画像表示手段に入力する画像信号の振幅レベルを制御する振幅調整手段と、該画像表示素子に入力する画像信号の直流レベルを制御する直流制御手段と、該振幅制御手段に制御電圧を供給する振幅制御用電源と、該直流制御手段に制御電圧を供給する直流制御電源と、該振幅制御用電源とは別系統の複数の電源のうちの少なくとも１つを選択する選択手段と、該振幅制御用電源の出力と該選択手段で選択された該別系統電源の出力とを加算しその加算出力で該振幅制御手段を制御する第１の加算手段と、該選択手段を切換え制御する第１のタイミング発生手段とからなる画像表示装置において、該第１のタイミング発生手段に入力する制御情報で該画像表示手段での任意の画像表示領域を指定し、複数個の該別系統電源の出力のうちの少なくとも１個に応じて該指定された画像表示領域の振幅レベルを制御することを特徴とする画像表示装置。
【０１３６】
また例えば、上記の第１のタイミング発生手段に入力する制御情報は、前記画像表示手段に表示する任意の画像の表示領域の開始位置と終了位置、または開始位置と該表示領域の水平区間及び該表示領域の垂直区間、または終了位置と該表示領域の水平区間及び該表示領域の垂直区間であることを特徴とする画像表示装置。
【０１３７】
また例えば、画像表示手段と、該画像表示手段に入力する画像信号の振幅レベルを制御する振幅調整手段と、該画像表示手段に入力する画像信号の直流レベルを制御する直流制御手段と、該振幅制御手段に制御電圧を供給する振幅制御用電源と、該直流制御手段に制御電圧を供給する直流制御電源と、該振幅制御用電源とは別系統の複数の電源のうちの少なくとも１つを選択する選択手段と、該振幅制御用電源の出力と該選択手段で選択された該別系統電源の出力を加算しその加算出力で該振幅制御回路を制御する第１の加算手段と、該選択手段の切換え制御と該別系統電源の電圧制御を行なう第２のタイミング発生手段とからなる画像表示装置において、該第２のタイミング発生手段に入力する制御情報で該画像表示手段での任意の画像表示領域を指定し、該制御情報に応じて指定された該画像表示領域の振幅レベルを制御することを特徴とする画像表示装置。
【０１３８】
また例えば、前記第２のタイミング発生手段に入力する制御情報は、前記画像表示手段に表示する任意の画像の表示領域の開始位置と終了位置と輝度レベル、または開始位置と該表示領域の水平区間及び該表示領域の垂直区間と輝度レベル、または終了位置と該表示領域の水平区間及び該表示領域の垂直区間と輝度レベルであることを特徴とする画像表示装置。
【０１３９】
また例えば、画像表示手段と、該画像表示手段に入力する画像信号の振幅レベルを制御する振幅調整手段と、該画像表示手段に入力する画像信号の直流レベルを制御する直流制御手段と、該振幅制御手段に制御電圧を供給する振幅制御用電源と、該直流制御手段に制御電圧を供給する直流制御電源と、該振幅制御用電源とは別系統の複数の電源の出力を選択する選択手段と、該振幅制御用電源の出力と該選択手段で選択された該別系統電源の出力とを加算しその加算出力で該振幅制御手段を制御する第１の加算手段とからなる画像表示装置において、該選択手段を制御する制御信号に応じて、該画像表示手段での複数の任意の画像表示領域の振幅レベルを制御することを特徴とする画像表示装置。
【０１４０】
また例えば、画像表示手段と、該画像表示手段に入力する画像信号の振幅レベルを制御する振幅調整手段と、該画像表示手段に入力する画像信号の直流レベルを制御する直流制御手段と、該振幅制御手段に制御電圧を供給する振幅制御用電源と、該直流制御手段に制御電圧を供給する直流制御電源と、該振幅制御用電源の出力とこれとは別系統の電源の出力を加算しその加算出力で該振幅制御手段を制御する第１の加算手段と、該直流制御用電源の出力とこれとは別系統電源の出力とを加算しその加算出力で該直流制御手段を制御する第２の加算手段とからなる画像表示装置において、該第１の加算手段に入力する該別系統電源の出力に応じて該画像表示手段での任意の画像表示領域の振幅レベルを制御し、該第２の加算手段に入力する該別系統電源の出力に応じて該任意の画像表示領域の直流レベルを制御することを特徴とする画像表示装置。
【０１４１】
また例えば、画像表示手段と、アナログ画像信号をディジタル画像信号に変換するＡＤ変換手段と、該ＡＤ変換手段の出力をデータ変換するルックアップテーブルと、ディジタル画像信号をアナログ画像信号に変換するＤＡ変換手段と、画像信号の振幅レベルを制御する振幅調整手段と、画像信号の直流レベルを制御する直流制御手段と、該ＡＤ変換手段の出力を該ルックアップテーブルに入力し該ルックアップテーブルの出力を該ＤＡ変換手段に供給するか、該ＡＤ変換手段の出力をそのまま該ＤＡ変換手段に供給するかを切り換える切換手段と、該切換手段の切換え制御と該ルックアップテーブルのデータ書替えを行なう制御手段とからなる画像表示装置において、該制御手段に入力する制御情報で該画像表示手段での任意の画像表示領域を指定し、指定された該画像表示領域の振幅レベルまたは直流レベルもしくはこれら両方を制御することを特徴とする画像表示装置。
【０１４２】
また例えば、アナログ画像信号をディジタル画像信号に変換するＡＤ変換手段と、該ＡＤ変換手段の出力をデータ変換するルックアップテーブルと、ディジタル画像信号で駆動する画像表示手段と、該ＡＤ変換手段の出力を該ルックアップテーブルに入力し該ルックアップテーブルの出力を該画像表示手段に供給するか、該ＡＤ変換手段の出力をそのまま該画像表示手段に供給するかを切り換える切換手段と、該切換手段の切換え制御と該ルックアップテーブルのデータ書替えを行なう制御手段とからなる画像表示装置において、
該制御手段に入力する制御情報で該画像表示手段での任意の画像表示領域を指
定し、指定された該画像表示領域の振幅レベルまたは直流レベルもしくはこれら
両方を制御することを特徴とする画像表示装置。
【０１４３】
また例えば、画像表示手段と、該画像表示手段に入力する画像信号の振幅レベルを制御する振幅調整手段と、該画像表示手段に入力する画像信号の直流レベルを制御する直流制御手段とからなる画像表示装置において、該画像表示手段での任意の画像表示領域の平均振幅レベルまたは平均直流レベルもしくはこれら両方を任意の一定値以上にならないように負帰還制御することを特徴とする画像表示装置。
【０１４４】
また例えば、画像表示手段と、該画像表示手段に入力する画像信号の振幅レベルを制御する振幅調整手段と、該画像表示手段に入力する画像信号の直流レベルを制御する直流制御手段とからなる画像表示装置において、該画像表示手段での任意の画像表示領域の振幅レベルまたは直流レベルもしくはこれら両方を制御するときには、該振幅調整手段または該直流制御手段もしくはこれら両方に印加する電源電圧を可変することを特徴とする画像表示装置。
【図面の簡単な説明】
【０１４５】
【図１】本発明による情報処理装置の第１の実施形態を示すブロック図である。
【図２】図１に示した実施形態の動作を示すタイミングチャートである。
【図３】図１における特定領域輝度変換手段の一具体例を示すブロック図である。
【図４】図１に示した第１の実施形態の一変形例を示すブロック図である。
【図５】図１に示した第１の実施形態の他の変形例を示すブロック図である。
【図６】図１に示した第１の実施形態のさらに他の変形例を示すブロック図である。
【図７】図６における特定領域輝度変換手段の一具体例を示すブロック図である。
【図８】本発明による情報処理装置の第２の実施形態における特定領域輝度変換手段の一具体例を示すブロック図である。
【図９】本発明による情報処理装置の第３の実施形態を示すブロック図である。
【図１０】図９における画像合成回路の一具体例を示すブロック図である。
【図１１】本発明による情報処理装置の第４の実施形態を示すブロック図である。
【図１２】図１１に示した実施形態の動作を示すフローチャートである。
【図１３】本発明による情報処理装置の第５の実施形態を示すブロック図である。
【図１４】図１３における特定領域輝度変換手段の一具体例を示すブロック図である。
【図１５】図１４における画像処理装置４０の嵌込み画像の検出方法の一例を示す説明図である。
【図１６】図１４における画像処理装置４０の嵌込み画像の検出方法の他の例を示す説明図である。
【図１７】図１４における画像処理装置４０の嵌込み画像の検出方法のさらに他の例を示す説明図である。
【図１８】本発明による情報処理装置の第６の実施形態での画像表示手段の一具体例を示すブロック図である。
【図１９】図１８における画像表示手段の一具体例を示すブロック図である。
【図２０】図１９に示す具体例の動作を示すタイミングチャートである。
【図２１】本発明による情報処理装置の第７の実施形態での画像表示手段の一具体例を示すブロック図である。
【図２２】本発明による情報処理装置の第８の実施形態での画像表示手段の一具体例を示すブロック図である。
【図２３】図２２に示した具体例で用いる嵌込み位置データの具体例を示す図である。
【図２４】図２２におけるタイミング発生回路の一具体例を示すブロック図である。
【図２５】本発明による情報処理装置の第９の実施形態での画像表示手段の一具体例を示すブロック図である。
【図２６】図２５に示した具体例で用いる嵌込み位置／輝度レベルデータの具体例を示す図である。
【図２７】本発明による情報処理装置の第１０の実施形態での画像表示手段の一具体例を示すブロック図である。
【図２８】本発明による情報処理装置の第１１の実施形態での画像表示手段の一具体例を示すブロック図である。
【図２９】本発明による情報処理装置の第１２の実施形態での画像表示手段の一具体例を示すブロック図である。
【図３０】図２９における制御回路の一具体例を示すブロック図である。
【図３１】本発明による情報処理装置の第１３の実施形態での画像表示手段の一具体例を示すブロック図である。
【図３２】本発明による情報処理装置の第１４の実施形態での画像表示手段の一具体例を示すブロック図である。
【図３３】本発明による情報処理装置の第１５の実施形態での画像表示手段の一具体例を示すブロック図である。
【符号の説明】
【０１４６】
１  画像表示手段
２  特定領域輝度変換手段
３  画像合成手段
４  ＣＰＵ回路
５  ＲＯＭ回路
６  外部入力手段
７  画像信号の入力端子
８  信号バス
１０  振幅制御手段
１１  直流レベル制御手段
１２  加算器
１３，１４，１６  可変電源
１５  切換スイッチ
１７ａ〜１７ｇ，１７ｉ，１７ｊ  データラッチ
１８ａ〜１８ｊ  アドレスデコーダ
１９ａ〜１９ｄ  カウンタ
２０ａ〜２０ｃ  アンドゲート
２１，２１ａ，２１ｂ  タイミング発生回路
２２ａ，２２ｂ  切換スイッチ
２３  Ａ／Ｄ変換器
２４  ルックアップテーブル
２５  Ｄ／Ａ変換器
３１  データ蓄積装置
３２  切換スイッチ
３３，３４  可変電源
３６  画像合成手段
３７  フレームメモリ
３８  制御回路
４０  画像処理装置
５０  画像表示手段
５１  画像信号出力手段
５５  タイミング発生手段
５６  ＰＬＬ回路
５７  マイコン
７０  制御回路
７１  開閉スイッチ
７２  積分器
７３  比較器
７４  ＬＰＦ
７５  開閉スイッチ
７６，７７  増幅器電源
【図１】
2006285266.tif 000003
【図２】
2006285266.tif 000004
【図３】
2006285266.tif 000005
【図４】
2006285266.tif 000006
【図５】
2006285266.tif 000007
【図６】
2006285266.tif 000008
【図７】
2006285266.tif 000009
【図８】
2006285266.tif 000010
【図９】
2006285266.tif 000011
【図１０】
2006285266.tif 000012
【図１１】
2006285266.tif 000013
【図１２】
2006285266.tif 000014
【図１３】
2006285266.tif 000015
【図１４】
2006285266.tif 000016
【図１５】
2006285266.tif 000017
【図１６】
2006285266.tif 000018
【図１７】
2006285266.tif 000019
【図１８】
2006285266.tif 000020
【図１９】
2006285266.tif 000021
【図２０】
2006285266.tif 000022
【図２１】
2006285266.tif 000023
【図２２】
2006285266.tif 000024
【図２３】
2006285266.tif 000025
【図２４】
2006285266.tif 000026
【図２５】
2006285266.tif 000027
【図２６】
2006285266.tif 000028
【図２７】
2006285266.tif 000029
【図２８】
2006285266.tif 000030
【図２９】
2006285266.tif 000031
【図３０】
2006285266.tif 000032
【図３１】
2006285266.tif 000033
【図３２】
2006285266.tif 000034
【図３３】
2006285266.tif 000035
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
記録媒体からテレビ映像に関する第１の画像情報を読み出す読出手段と、
該読出手段により読み出された該第１の画像情報とともにコンピュータ画像に関する第
２の画像情報を出力する出力手段と、
該読出手段により該第１の画像情報が読み出された後に、該第１の画像情報の輝度が該
第２の画像情報の輝度よりも高輝度になるよう該第１の画像情報の輝度制御を行う輝度制
御手段と、
該輝度制御手段により輝度制御された画像情報を出力する画像情報出力手段を備えるこ
とを特徴とする情報処理装置。
【請求項２】
テレビ映像に関する第１の画像情報及びコンピュータ画像に関する第２の画像情報が記
憶された記録媒体から第１及び第２の画像情報を読み出す読出手段と、
該読出手段により読み出された該第１及び該第２の画像情報を出力する出力手段と、
該読出手段により該第１の画像情報が読み出された後に、該第１の画像情報の輝度が該
第２の画像情報の輝度よりも高輝度になるよう該第１の画像情報の輝度制御を行う輝度制
御手段と、
該輝度制御手段により輝度制御された画像情報を出力する画像情報出力手段を備えるこ
とを特徴とする情報処理装置。
【請求項３】
請求項１又は２に記載の情報処理装置において、
前記第１の画像情報は前記第２の画像情報に部分的に嵌め込まれており、
該第１の画像情報を検出する検出手段を備えることを特徴とする情報処理装置。
【手続補正２】
【補正対象書類名】明細書
【補正対象項目名】００１０
【補正方法】変更
【補正の内容】
【００１０】
上記課題を解決するために、例えば、特許請求の範囲に記載された技術的思想を用いればよい。